(57)【要約】【課題】形態変化以外の楽しさおよび面白さを遊戯者に提供することができる玩具を提供する。【解決手段】玩具は、中空部が形成された主部品ＭＰと、主部品ＭＰの中空部内への収容を可能とした第１支持部品１５および第２支持部品１７と複数個の排出用物品１４とを備え、主部品ＭＰの中空部内に第１支持部品１５および第２支持部品１７と複数個の排出用物品１４が収容された第１形態（収容形態）Ｆ１と、主部品ＭＰと第１支持部品１５および第２支持部品１７と複数個の排出用物品１４との組み合わせに基づく物品排出玩具としての第２形態（物品排出玩具形態）Ｆ２とに可逆的に変化できるように構成されている。【選択図】図１１
2019093164.tif 000002
【特許請求の範囲】
【請求項１】
販売のための収容形態と、遊戯のための物品排出玩具形態とをとり得る玩具であって、
中空部が形成された略球状の外形を成す主部品と、
前記主部品への接続により当該主部品を支持可能な支持部品と、前記中空部内への収容が可能な排出用物品と、を含む副部品と、を備え、
前記主部品は、前記中空部内への前記支持部品の収容により前記収容形態を成し、
前記主部品と前記支持部品は、当該主部品への当該支持部品の接続により前記物品排出玩具形態を成し、
前記排出用物品は、前記収容形態、及び前記物品排出玩具形態において、前記中空部内に直接収容される、  
玩具。
【請求項２】
前記主部品は、前記収容形態において、前記中空部内にて前記支持部品を収容し、前記物品排出玩具形態において、前記中空部外にて前記支持部品を接続する、
請求項１に記載の玩具。
【請求項３】
前記主部品は、前記支持部品、及び前記排出用物品を収容可能な大きさに構成される、
請求項１または２に記載の玩具。
【請求項４】
前記主部品は、第１主部品と第２主部品とから構成され、
前記第１主部品と前記第２主部品とは、結合部を介して相互接続可能である、
請求項１〜３のいずれか１項に記載の玩具。
【請求項５】
前記主部品は、その外面にキャラクターを模した形象部が設けられている、
請求項１〜４のいずれか１項に記載の玩具。
【請求項６】
前記形象部は、前記主部品の外面から隆起して設けられている、
請求項５に記載の玩具。
【請求項７】
前記副部品は、前記収容形態において、前記主部品内面に係止して収容される、  請求項４に記載の玩具。
【請求項８】
前記主部品は、前記中空部と連通する連通口を有している、
請求項４に記載の玩具。
【請求項９】
前記連通口は、前記第１主部品に形成された第１連通口と前記第２主部品に形成された第２連通口との組み合わせによって形成される、
請求項８に記載の玩具。
【請求項１０】
前記支持部品は、前記主部品に接続した状態で前記主部品の前記連通口と連通する通路を有している、
請求項８または９に記載の玩具。
【請求項１１】
前記通路の内形は、前記排出用物品の外形の１倍超過２倍未満である、
請求項１０に記載の玩具。
【請求項１２】
前記通路は、一端側開口の周囲に接続を有し、他端側開口が排出口となっている、
請求項１０または１１に記載の玩具。
【請求項１３】
前記通路は、前記排出口の内側に傾斜部を有している、
請求項１２に記載の玩具。
【請求項１４】
前記支持部品は、相互接続可能な第１支持部品と第２支持部品とから構成され、
前記通路は、前記第１支持部品に設けられた第１通路と前記第２支持部品に設けられた第２通路との組み合わせによって形成される、
請求項１０〜１３のいずれか１項に記載の玩具。
【請求項１５】
前記副部品は、前記支持部品に取付可能な操作部品を含んでいる、
請求項１４に記載の玩具。
【請求項１６】
前記操作部品は、前記第１通路内にのみ位置する保持部を有している、
請求項１５に記載の玩具。
【請求項１７】
前記保持部は、前記物品を保持する保持状態と当該保持を解除する解除状態とに変化可能である、
請求項１６に記載の玩具。
【請求項１８】
前記操作部品は、前記支持部品に対して時計回り方向、及び反時計回り方向に回転可能である、
請求項１５〜１７のいずれか１項に記載の玩具。
【請求項１９】
前記保持状態と前記解除状態との切り替えは、前記操作部品の１８０度回転変位によってなされる、
請求項１７に記載の玩具。
【発明の詳細な説明】
【技術分野】
【０００１】
本発明は、形態変化を可能とした玩具に関する。
【背景技術】
【０００２】
後記特許文献１には、カプセルと、カプセル内部に収納された部品とから成り、カプセル構成部材と前記部品とを組み立てて玩具（人形）を形成し得るようにしたカプセル玩具が開示されている。しかしながら、このカプセル玩具は、カプセル構成部材と部品を組み立てて玩具（人形）を形成することを主眼としたものであり、形態変化以外の楽しさおよび面白さを遊戯者に提供することは難しい。
【先行技術文献】
【特許文献】
【０００３】
【特許文献１】特開平０７−１４８３５８号公報
【発明の概要】
【発明が解決しようとする課題】
【０００４】
本発明が解決しようとする課題は、形態変化以外の楽しさおよび面白さを遊戯者に提供することができる玩具を提供することにある。
【課題を解決するための手段】
【０００５】
本発明に係る玩具は、販売のための収容形態と、遊戯のための物品排出玩具形態とをとり得る玩具であって、中空部が形成された略球状の外形を成す主部品と、前記主部品への接続により当該主部品を支持可能な支持部品と、前記中空部内への収容が可能な排出用物品と、を含む副部品と、を備え、前記主部品は、前記中空部内への前記支持部品の収容により前記収容形態を成し、前記主部品と前記支持部品は、当該主部品への当該支持部品の接続により前記物品排出玩具形態を成し、前記排出用物品は、前記収容形態、及び前記物品排出玩具形態において、前記中空部内に直接収容される。
【発明の効果】
【０００６】
本発明に係る玩具によれば、第２形態を物品排出玩具と使用できるため、第１形態から第２形態への変化以外の楽しさおよび面白さを遊戯者に提供することができる。
【図面の簡単な説明】
【０００７】
【図１】図１（Ａ）と図１（Ｂ）は第１形態（収容形態）を前から見た図と横から見た図である。
【図２】図２（Ａ）と図２（Ｂ）は第２形態（物品排出玩具形態）を前から見た図と横から見た図である。
【図３】図３（Ａ）〜図３（Ｃ）は第１主部品を前から見た図と横から見た図と後から見た図、図３（Ｄ）は図３（Ａ）のＳ１−Ｓ１線断面図である。
【図４】図４（Ａ）〜図４（Ｃ）は第２主部品を前から見た図と横から見た図と後から見た図、図４（Ｄ）は図４（Ａ）のＳ２−Ｓ２線断面図である。
【図５】図５（Ａ）は排出用物品を示す図、図５（Ｂ）と図５（Ｃ）は図５（Ａ）に示した排出用物品の他の例を示す図である。
【図６】図６（Ａ）〜図６（Ｃ）は第１支持部品を前から見た図と横から見た図と後ろから見た図、図６（Ｄ）は図６（Ａ）のＳ３−Ｓ３線断面図である。
【図７】図７（Ａ）〜図７（Ｃ）は第２支持部品を前から見た図と横から見た図と後ろから見た図、図７（Ｄ）は図７（Ａ）のＳ４−Ｓ４線断面図である。
【図８】図８は図１に示した第１形態（収容形態）の説明図である。
【図９】図９（Ａ）は図３に示した第１主部品と図４に示した第２主部品によって主部品を組み立てる手順の説明図、図８（Ｂ）は組み立て後の主部品を下から見た図である。
【図１０】図１０（Ａ）は図６に示した第１支持部品と図７に示した第２支持部品によって支持部品を組み立てる手順の説明図、図９（Ｂ）は組み立て後の支持部品を上から見た図である。
【図１１】図１１は第２形態（物品排出玩具形態）の使用方法の説明図である。
【図１２】図１２は第２形態（物品排出玩具形態）の使用方法の説明図である。
【発明を実施するための形態】
【０００８】
以下の説明では、便宜上、図１（Ａ）および図２（Ａ）の手前側を前、奥側を後、左側を右、右側を左、上側を上、下側を下と表記し、他の図についてもこれらに準じて向きを表記する。
【０００９】
最初に、図１および図２を用いて、第１形態（収容形態）Ｆ１と第２形態（物品排出玩具形態）Ｆ２の概要について説明する。なお、第１形態（収容形態）Ｆ１と第２形態（物品排出玩具形態）Ｆ２の詳細については後に説明する。
【００１０】
図１は、主部品ＭＰの中空部内に少なくとも１個の副部品が収容された第１形態（収容形態）Ｆ１を示す。図２は、副部品を取り出した後の主部品ＭＰと副部品との組み合わせに基づく第２形態（物品排出玩具形態）Ｆ２を示す。
【００１１】
第２形態（物品排出玩具形態）Ｆ２について補足すると、当該第２形態（物品排出玩具形態）Ｆ２は、主部品ＭＰと、主部品ＭＰに接続された支持部品ＳＰと、主部品ＭＰの中空部内に入れられた複数個の排出用物品１４（図１１を参照）とを有している。主部品ＭＰは第１主部品１１と第２主部品１２とから構成されており、支持部品ＳＰは第１支持部品１５と第２支持部品１７とから構成されている。なお、主部品ＭＰと支持部品ＳＰと排出用物品１４は、好ましくはポリプロピレンやＡＢＳ樹脂等の合成樹脂から形成されている。
【００１２】
次に、図３を用いて、主部品ＭＰを構成する第１主部品１１の具体構成について説明する。
【００１３】
第１主部品１１は、略半球状の外形を成し、内部に略半球状の第１主部品中空部１１ａを有している。また、第１主部品１１の後端の内側には、円筒状の第１結合部１１ｂが複数個（図３では３個）設けられている。さらに、第１主部品１１の下端には、平らな面１１ｃが設けられており、当該面１１ｃの中央には、第１主部品中空部１１ａと連通する略半円状の第１連通口１１ｄが設けられている。さらに、面１１ｃの左側には、略Ｌ状の突起から成る一方の接続部１１ｅが１個設けられている。さらに、第１主部品１１の外面には、キャラクターの目および鼻を模した形象部１１ｆが設けられており、当該形象部１１ｆによって特定のキャラクターを模した外観が得られるようになっている。なお、形象部１１ｆは目や鼻の他に口や耳等を模したものを適宜付加してもよいし、当該形象部１１ｆを第１主部品１１の外面から隆起させて立体感を得るようにしてもよい。
【００１４】
次に、図４を用いて、主部品ＭＰを構成する第２主部品１２の具体構成について説明する。
【００１５】
第２主部品１２は、第１主部品１１と同様、略半球状の外形を成し、内部に略半球状の第２主部品中空部１２ａを有している。また、第２主部品１２の前端の内側には、第１主部品１１の第１結合部１１ｂに着脱可能に嵌め込み可能な円柱状の第２結合部１２ｂが複数個（図４では３個）で設けられている。さらに、第２主部品１２の下端には、平らな面１２ｃが設けられており、当該面１２ｃの中央には、第２主部品中空部１２ａと連通する略半円状の第２連通口１２ｄが設けられている。さらに、面１２ｃの右側には、略Ｌ状の突起から成る他方の接続部１２ｅが１個設けられている。ちなみに、他方の接続部１２ｅの位置は、第１主部品１１の一方の接続部１１ｅの位置と略１８０度異なるようになっている。さらに、第２主部品１２の後端には、略円状の補充口１２ｆが設けられており、当該補充口１２ｆには、蓋部品１３が取り付けられている。ちなみに、蓋部品１３の補充口１２ｆへの取り付けには、蓋部品１３の一部と補充口１２ｆとの嵌め合いや、蓋部品１３の一部に設けたネジ部との補充口１２ｆのネジ部とのねじ込みや、後述する主部品ＭＰと支柱部品ＳＰとの接続に採用した手段等を適宜採用することができる。
【００１６】
次に、図５を用いて、搬送用物品１４の具体構成について説明する。
【００１７】
排出用物品１４は、略球状の外形を成し、複数個用意されている。各排出用物品１４の外面には、図５（Ａ）に示したように、第１主部品１１の外面に設けた形象部１１ｆ（特定のキャラクターを模したもの）に対応した形象部１４ａの他、他のキャラクターを模した形象部１４ａが設けられている。なお、複数個の排出用物品１４の代わりに、外面の色を変えた排出用物品１４-1（図５（Ｂ）を参照）を複数個用意してもよいし、外面の模様１４ｂを変えた排出用物品１４-2（図５（Ｃ）を参照）を複数個用意してもよい。
【００１８】
次に、図６を用いて、支持部品ＳＰを構成する第１支持部品１５の具体構成について説明する。
【００１９】
第１支持部品１５は、略１／２円錐台状の外形（円錐台を縦に２分した一方のような外形）を成している。また、第１支持部品１５の後端の内側には、円筒状の第１結合部１５ａが複数個（図６では４個）設けられている。さらに、第１支持部品１５の上端には、後記第２支持部品１７の円筒部１７ｂ１を受容する略半円状の凹部１５ｂが設けられている。さらに、凹部１５ｂの右側には、第２主部品１２の他方の接続部１２ｅを挿入可能な溝部１５ｃ１が設けられ、当該凹部１５ｂの左側には、第１主部品１１の一方の接続部１１ｅが係合可能な鍔部１５ｃ２が設けられている（図１０（Ｂ）を参照）。さらに、第１支持部品１５の後側には、縦長の第１通路１５ｄが設けられ、第１通路１５ｄの前側下端には、排出用物品１４の外形よりも僅かに大きな外形を有する排出口１５ｅが設けられている。
【００２０】
さらに、第１支持部品１５には、操作部品１６が取り付けられている。この操作部品１６は軸部１６ａの後端に保持部１６ｂを有しており、軸部１６ａは第１支持部品１５の孔１５ｆに回転可能に支持され、保持部１６ｂは第１通路１５ｄ内に位置している。保持部１６ｂは排出用物品１４を保持する保持状態と当該保持を解除する解除状態とに変化可能であり、保持状態と解除状態との切り替えは軸部１６ａを中心とした操作部品１６の１８０度の回転変位によって行えるように構成されている。
【００２１】
次に、図７を用いて、支持部品ＳＰを構成する第２支持部品１７の具体構成について説明する。
【００２２】
第２支持部品１７は、第１支持部品１５と同様、略１／２円錐台状の外形（円錐台を縦に２分した他方のような外形）を成している。また、第２支持部品１７の前端の内側には、第１支持部品１５の第１結合部１５ａに着脱可能に嵌め込み可能な円柱状の第２結合部１７ａが複数個（図７では４個）設けられている。さらに、第２支持部品１７の前側には、横断面形が略半円状を成す第２通路１７ｂが縦長に設けられている。この第２通路１７ｂは前側上部が円筒状の筒状部１７ｂ１となっており、当該筒状部１７ｂ１と連続する環状突起１７ｂ２が第２支持部品１７の上端から上方に突出している。さらに、第２通路１７ｂの下端には、前側に向かって斜め下向きに傾いた傾斜部１７ｂ３が設けられている。さらに、第２支持部品１７の上端の環状突起１７ｂ２の左側には、第１主部品１２の一方の接続部１１ｅを挿入可能な溝部１７ｃ１が設けられ、当該環状突起１７ｂ２の右側には、第２主部品１２の他方の接続部１２ｅが係合可能な鍔部１７ｃ２が設けられている（図１０（Ｂ）を参照）。
【００２３】
次に、図８〜図１０を主に用いて、第１形態（収容形態）Ｆ１から第２形態（物品排出玩具形態）Ｆ２に変化させる方法について説明する。
【００２４】
図８は第１形態（収容形態）Ｆ１を示す。この第１形態（収容形態）Ｆ１では、主部品ＭＰの中空部（第１主部品中空部１１ａと第２主部品中空部１２ａとの組み合わせ）内に、支持部品ＳＰを構成する第１支持部品１５および第２支持部品１７と、複数個（図８では５個）の排出用物品１４が収容されている。ちなみに、主部品ＭＰを構成する第１主部品１１と第２主部品１２は、第１結合部１１ｂと第２結合部１２ｂとの嵌め合いによって結合されている。
【００２５】
なお、第１形態（収容形態）Ｆ１における主部品ＭＰは、その下端に連通口（第１連通口１１ｄと第２連通口１２ｄとの組み合わせ）を有しているため、当該第１形態（収容形態）Ｆ１にて流通および販売等を行う場合には、排出用物品１４の飛び出しを防止するために、連通口をシール等で塞ぐか、或いは、全体を合成樹脂製の透明フィルム等で覆うことが望ましい。
【００２６】
第１形態（収容形態）Ｆ１から第２形態（物品排出玩具形態）Ｆ２に変化させるときには、第１形態（収容形態）Ｆ１において主部品ＭＰを構成する第１主部品１１と第２主部品１２との結合を解除して、支持部品ＳＰを構成する第１支持部品１５および第２支持部品１７と、複数個（図８では５個）の排出用物品１４を取り出す。
【００２７】
続いて、図９（Ａ）に示したように、第１主部品１１の第１結合部１１ｂと第２主部品１２の第２結合部１２ｂとを嵌め合わせて両者を結合し、主部品ＭＰを組み立てる。
【００２８】
この組み立てにより、第１主部品１１の第１主部品中空部１１ａと第２主部品１２の第２主部品中空部１２ａとの組み合わせによって、略球状の中空部（符号省略）が形成される（図９（Ａ）を参照）。また、第１主部品１１の第１連通口１１ｄと第２主部品１２の第２連通口１２ｄとの組み合わせによって、中空部（第主部品中空部１１ａと第２主部品中空部１２ａとの組み合わせ）内と連通する略円状の連通口（符号省略）が形成される（図９（Ｂ）を参照）。さらに、第１主部品１１の一方の接続部１１ｅと第２主部品１２の他方の接続部１２ｅが、連通口（第１連通口１１ｄと第２連通口１２ｄとの組み合わせ）の周囲に略１８０度の角度差で位置する（図９（Ｂ）を参照）。ちなみに、組み立て後の主部品ＭＰにおいて、この一方の接続部１１ｅと他方の接続部１２ｅは第１接続部（符号省略）を構成する。
【００２９】
また、主部品ＭＰの組み立て後、または、組み立て前に、図１０（Ａ）に示したように、第１支持部品１５の第１結合部１５ａと第２支持部品１７の第２結合部１７ａとを嵌め合わせて両者を結合し、支持部品ＳＰを組み立てる。
【００３０】
この組み立てにより、第１支持部品１５の凹部１５ｂに第２支持部品１７の円筒部１７ｂ１が受容されるとともに、当該筒状部１７ｂ１と連続する環状突起１７ｂ２が支持部品ＳＰの上端から上方に突出する（図１０（Ａ）および図１０（Ｂ）を参照）。また、第１支持部品１５の第１通路１５ｄと第２支持部品１７の第２通路１７ｂとの組み合わせによって、環状突起１７ｂ２の上端から排出口１５ｅに向かい、かつ、途中に傾斜部１７ｂ３を有する略Ｌ状の通路（符号省略）が形成される（図１０（Ａ）および図１０（Ｂ）を参照）。ちなみに、組み立て後の支持部品ＳＰにおいて、通路（第１通路１５ｄと第２通路１７ｂとの組み合わせ）の内形は、排出用物品の外形の１倍超過２倍未満である。さらに、第１支持部品１５の鍔部１５ｃ２と第２支持部品１７の溝部１７ｃ１との組み合わせによって、主部品ＭＰの左側の一方の接続部１１ｅに対応した第１接続箇所が形成されるとともに、第１支持部品１５の溝部１５ｃ１と第２支持部品１７の鍔部１７ｃ２との組み合わせによって、主部品ＭＰの右側の他方の接続部１２ｅに対応した第２接続箇所が形成される。ちなみに、第１支持部品１５の溝部１５ｃ１と鍔部１５ｃ２は第１分割接続部を構成し、第２支持部品１７の溝部１７ｃ１と鍔部１７ｃ２は第２分割接続部を構成する。また、組み立て後の支持部品ＳＰにおいて、この第１分割接続部と第２分割接続部は、換言すれば、前記の第１接続箇所と第２接続箇所は第２接続部（符号省略）を構成し、また、環状突起１７ｂ２も第２接続部（符号省略）としての役目を果たす。
【００３１】
続いて、組み立て後の主部品ＭＰ（図９を参照）と組み立て後の支持部品ＳＰ（図１０を参照）との接続を行う。具体的には、主部品ＭＰの連通口（第１連通口１１ｄと第２連通口１２ｄとの組み合わせ）に支持部品ＳＰの環状突起１７ｂ２を挿入するとともに、支持部品ＳＰの第１接続箇所（鍔部１５ｃ２と溝部１７ｃ１との組み合わせ）の溝部１７ｃ１に主部品ＭＰの左側の一方の接続部１１ｅを挿入し、かつ、支持部品ＳＰの第２接続箇所（溝部１５ｃ１と鍔部１７ｃ２との組み合わせ）の溝部１５ｃ１に主部品ＭＰの右側の他方の接続部１２ｅを挿入した後、支持部品ＳＰを上から見て時計回り方向に回転させて、支持部品ＳＰの第１接続箇所（鍔部１５ｃ２と溝部１７ｃ１との組み合わせ）の鍔部１５ｃ２に主部品ＭＰの左側の一方の接続部１１ｅを係合させ、かつ、支持部品ＳＰの第２接続箇所（溝部１５ｃ１と鍔部１７ｃ２との組み合わせ）の鍔部１７ｃ２に主部品ＭＰの右側の他方の接続部１２ｅを係合させる。これにより、図２、図１１および図１２に示した第２形態（物品排出玩具形態）Ｆ２の組み立て、すなわち、第１形態（収容形態）Ｆ１から第２形態（物品排出玩具形態）Ｆ２への変化が完了する。
【００３２】
次に、図１１および図１２を用いて、第２形態（物品排出玩具形態）の使用方法について説明する。
【００３３】
第２形態（物品排出玩具形態）を物品排出玩具として使用するときには、まず、図１１に示したように、蓋部品１３を外して、先に取り出した複数個（図１１では５個）の排出用物品１４を補充口１２ｆを通じて中空部（第１主部品中空部１１ａと第２主部品中空部１２ａとの組み合わせ）内に入れ、補充口１２ｆを蓋部品１３で閉じる。
【００３４】
図１１では操作部品１６の保持部１６ｂが保持状態（上向き状態）にあるため、中空部（第１主部品中空部１１ａと第２主部品中空部１２ａとの組み合わせ）内の排出用物品１４は通路（第１通路１５ｄと第２通路１７ｂとの組み合わせ）に入り込むものの、最下位の排出用物品１４は保持部１６ｂによって保持されて自重落下を規制され、２番目以降の排出用物品１４の自重落下も規制される。
【００３５】
そして、図１１において操作部品１６を前から見て時計回り方向、または、反時計回り方向に略１８０度回転させる。この略１８０度の回転により、図１２に示したように、最下位の排出用物品１４を保持する保持部１６ｂが解除状態（下向き状態）に変化し、最下位の排出用物品１４の保持が解除される。すなわち、保持が解除された最下位の排出用物品１４は自重落下して傾斜部１７ｂ３に当接して前方に移動し、排出口１５ｅから排出される。
【００３６】
一方、操作部品１６を略１８０度回転させても、２番目の排出用物品１４は保持部１６ｂとの当接によってその自重落下が規制されるため、２番目以降の排出用物品１４は自重落下しない。つまり、操作部品１６を略１８０度回転させることにより、最下位の排出用物品１４のみが排出口１５ｅから排出されることになる。
【００３７】
２番目の排出用物品１４を排出するときには、図１２の状態から操作部品１６を略３６０度回転させればよく、この略３６０度の回転により保持部１６ｂが保持状態（上向き状態）を経て解除状態（下向き状態）に変化するため、前記と同様に、２番目の排出用物品１４は自重落下して傾斜部１７ｂ３に当接して前方に移動し、排出口１５ｅから排出される。すなわち、最下位の排出用物品１４が排出口１５ｅから排出された後に排出操作部品１６を略３６０度回転させることにより、２番目以降の排出用物品１４が排出口１５ｅから順次排出されることになる。
【００３８】
次に、前述の玩具によって得られる主たる作用効果について説明する。
【００３９】
前述の玩具は、主部品ＭＰの中空部（第１主部品中空部１１ａと第２主部品中空部１２ａとの組み合わせ）内に第１支持部品１５と第２支持部品１７と複数個の排出用物品１４が収容されている第１形態（収容形態）Ｆ１と、主部品ＭＰと第１支持部品１５と第２支持部品１７と複数個の排出用物品１４の組み合わせに基づく第２形態（物品排出玩具形態）Ｆ２とに可逆的に変化させることができる。すなわち、第１形態（収容形態）Ｆ１と第２形態（物品排出玩具形態）Ｆ２とに可逆的に変化させることによる楽しさおよび面白さを遊戯者に提供することができる。
【００４０】
また、前述の玩具は、第２形態（物品排出玩具形態）Ｆ２を物品排出玩具として使用できるため、第１形態（収容形態）Ｆ１と第２形態（物品排出玩具形態）Ｆ２とに可逆的に変化させる以外の楽しさおよび面白さ、すなわち、第２形態（物品排出玩具形態）Ｆ２を物品排出玩具として使用することによる楽しさおよび面白さを遊戯者に提供することができる。
【００４１】
次に、前記同様の作用効果が得られる、前述の玩具の変形例について説明する。
【００４２】
（１）第１支持部品１５に操作部品１６を前から見て時計回り方向、または、反時計回り方向に回転可能なものを示したが、第１支持部品１５と操作部品１６との間にラチェット機構、例えば、軸部１６ａにラチェット用歯車を設け、かつ、当該歯車の溝に係合可能なバネ付勢の歯止め（逆止爪）を設けることにより、操作部品１６の回転方向を一方向に制限してもよい。このようにすれば、歯車の溝が歯止めを乗り越えるときに音は発生させることもできる。
【００４３】
（２）操作部品１６が第１支持部品１５に予め取り付けられているものを示したが、操作部品１６を第１支持部品１５と分離した部品として構成し、第２形態（物品排出玩具形態）を組み立てるときに、当該操作部品１６を第１支持部品１５に装着できるようにしてもよい。このようにすれば、第２形態（物品排出玩具形態）を組み立てるときの楽しさおよび面白さを増すことができる。
【００４４】
（３）第２支持部品１７の第２通路１７ｂの前側上部に筒状部１７ｂ１を設けたものを示したが、この筒状部１７ｂ１の第２支持部品１７の前端から突出する部分を排除し、排除した部分を第１支持部品１５の後端に設けるようにしてもよい。このようにしても環状突起１７ｂ２と同様の環状突起を支持部品ＳＰの上端に設けることができる。また、第２支持部品１７から環状突起１７ｂ２を排除しても、組み立て後の主部品ＭＰと組み立て後の支持部品ＳＰとの接続は可能である。
【００４５】
（４）蓋部品１３が第２主部品１２に予め取り付けられているものを示したが、蓋部品１３を第２主部品１２と分離した部品として構成し、第２形態（物品排出玩具形態）を組み立てるときに、当該蓋部品１３を第２主部品１２に装着できるようにしてもよい。このようにすれば、第２形態（物品排出玩具形態）を組み立てるときの楽しさおよび面白さを増すことができる。
【符号の説明】
【００４６】
Ｆ１…第１形態（収容形態）、Ｆ２…第２形態（物品排出玩具形態）、ＭＰ…主部品、ＳＰ…支持部品、１１…第１主部品、１１ａ…第１主部品中空部、１１ｅ…一方の接続部、１１ｄ…第１連通口、１２…第２主部品、１２ａ…第２主部品中空部、１２ｅ…他方の接続部、１２ｄ…第２連通口、１２ｆ…補充口、１３…蓋部品、１４…排出用物品、１５…第１支持部品、１５ｃ１…溝部、１５ｃ２…鍔部、１５ｄ…第１通路、１５ｅ…排出口、１６…操作部品、１６ｂ…保持部、１７…第２支持部品、１７ｂ…第２通路、１７ｂ２…環状突起、１７ｂ３…傾斜部、１７ｃ１…溝部、１７ｃ２…鍔部。
【図１】
2019093164.tif 000003
【図２】
2019093164.tif 000004
【図３】
2019093164.tif 000005
【図４】
2019093164.tif 000006
【図５】
2019093164.tif 000007
【図６】
2019093164.tif 000008
【図７】
2019093164.tif 000009
【図８】
2019093164.tif 000010
【図９】
2019093164.tif 000011
【図１０】
2019093164.tif 000012
【図１１】
2019093164.tif 000013
【図１２】
2019093164.tif 000014